【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
複数の入力シンボルを符号化する方法であって、
該複数の入力シンボルを複数の連続したシンボルの部分集合に分割するステップと、
該シンボルの部分集合のうちの少なくとも２つについて、それぞれの符号語を選択するステップと、
該シンボルの部分集合のうちの付加的な１つの部分集合から制御パラメータを決定するステップと、
該選択されたそれぞれの符号語および該制御パラメータに基づいてチャンネル符号語を生成するステップであって、該制御パラメータにより該それぞれの符号語が、チャンネル系列を規定するように該生成された該チャンネル符号語内に配列されて、該規定されたチャンネル系列のブロックデジタル和がゼロとなるようにされるステップと、を含むことを特徴とする方法。
【請求項２】
請求項１に記載の方法において、
該チャンネル符号語を生成するステップが、該制御パラメータに基づいて該それぞれの符号語を並べ替えるサブステップを含む方法。
【請求項３】
請求項１に記載の方法において、
該チャンネル符号語を生成するステップが、該制御パラメータに基づいて特定のそれぞれ符号語内の符号語シンボルを反転するサブステップを含む方法。
【請求項４】
複数のシンボルとして表わされた入力信号を符号化する方法であって、
該入力信号の複数のシンボルのうちのいくつかのものについて、該複数のシンボルを複数の連続するシンボルの部分集合に分割するステップと、
第１のコードブックから第１のシンボルの部分集合についての第１のそれぞれの符号語を選択するステップと、
付加的なコードブックから、付加的なシンボルの部分集合について付加的なそれぞれの符号語を選択するステップとを含み、
各それぞれの符号語は複数のチャンネルシンボルから成るチャンネル系列のそれぞれの部分を規定し、それぞれの部分中のチャンネルシンボルは関連するブロックデジタル和を有し、および該それぞれの部分のブロックデジタル和がゼロであり、該方法はさらに
該シンボルの部分集合のさらに付加的なものから制御パラメータを決定するステップと、
それぞれの符号語を該制御パラメータにより決定される連結順序で鎖状に連続することによってチャンネル符号語を生成するステップと、を含むことを特徴とする方法。
【請求項５】
請求項４に記載の方法において、
該第１のそれぞれの符号語により規定されるチャンネル系列のそれぞれの部分内のチャンネルシンボルが、Ｘのブロックデジタル和を有しており、該付加的なそれぞれの符号語によって規定されるチャンネル系列のそれぞれの部分内のチャンネルシンボルが−Ｘのブロックデジタル和を有している方法。
【請求項６】
複数の入力シンボルを符号化するための方法であって、
該複数の入力シンボルを複数の連続するシンボルの部分集合に分割するステップと、
該シンボルの部分集合のうちの少なくとも２つについて、シンボルから成るそれぞれの符号語を選択するステップと、
該シンボルの部分集合のうちの１つ部分集合内のシンボルに基づいて、制御コードブックから制御符号語を選択するステップであって、制御符号語がそれぞれの符号語の数に等しい数の制御シンボルから成り、該制御コードブック内の各制御シンボルが状態を有しているようなステップと、
該選択された制御符号語の状態に従って、該それぞれの符号語のうちのいくつかのものの中のシンボルを反転させるステップと、
該それぞれの符号語に基づいてチャンネルシンボルから成るチャンネル系列を規定するチャンネル符号語を生成するステップであって、該チャンネル系列のブロックデジタル和がゼロでとなっているステップと、を含むことを特徴とする方法。
【請求項７】
入力シンボル系列を符号化するために特定の他のブロックデジタル和を有するチャンネル系列を規定するチャンネル符号語を生成する方法であって、
入力信号系列を複数の連続するシンボルの部分集合に分割するステップと、
該シンボルの部分集合のいくつかのものについてそれぞれの符号語を選択するステップであって、該それぞれの符号語が関連づけられるブロックデジタル和を有するそれぞれのチャンネル系列と関連づけられているようなステップと、
該シンボルの部分集合のうちの付加的な１つの部分集合の関数として制御符号語を決定するステップと、
該それぞれの符号語、該制御符号語、および該それぞれのブロックデジタル和に基づいて該チャンネル符号語を生成するステップであって該チャンネル符号語により規定される該チャンネル系列が該特定の値に等しいブロックデジタル和を有している、ことを特徴とする方法。
【請求項８】
請求項７に記載の方法において、
該生成するステップが、該それぞれの符号語を該制御符号語に基づいて並べ替える処理をさらに含む方法。
【請求項９】
請求項７に記載の方法において、各それぞれの符号語がシンボルから成り、該生成するステップが、
該制御符号語に基づいて特定のそれぞれの符号語内のシンボルを反転するステップを含む方法。
【請求項１０】
複数の連続するシンボルの部分集合に分割される入力シンボル系列を符号化するために、チャンネル符号語を生成するための装置であって、該チャンネル符号語が特定の値をブロックデジタル和を有するチャネル系列を規定するものである方法において、
該シンボルの部分集合のいくつかのものについて関連するブロックデジタル和を有するそれぞれのチャネル系列と関連づけられているそれぞれの符号語を選択して、該シンボルの部分集合のうちの付加的な部分集合の関数として制御符号語を決定する手段と、
該それぞれの符号語、該制御符号および該それぞれのブロックデジタル和に基づいて、該チャンネル符号語を生成する手段であって、該チャンネル符号語により規定される該チャンネル系列が該特定の値に等しいブロックデジタル和を有するような手段と、を含むことを特徴とする装置。
【請求項１１】
請求項１０に記載の装置において、
該生成する手段が、該制御符号語に基づいて該それぞれの符号語を並び替える手段をさらに含む装置。
【請求項１２】
請求項１０に記載の装置において、
各それぞれの符号語が複数のシンボルから成り、該生成する手段が、さらに
該制御符号語に基づいて特定のそれぞれの符号語中のシンボルを反転させる手段を含む装置。
【請求項１３】
複数の連続するシンボルの部分集合に分割される複数の入力シンボルを符号化するための装置であって、
該シンボルの部分集合のうちの少なくとも２つのものについてそれぞれ符号語を選択し、および該シンボルの部分集合のうちの付加的な１つのものから制御パラメータを決定するための手段と、
該選択されたそれぞれ符号語および該制御パラメータに基づいてチャンネル符号語を生成する手段であって、該制御パラメータにより該それぞれの符号語が、該チャンネル系列を規定するように該生成されたチャンネル符号語内に配列されて、該規定されたチャンネル系列のブロックデジタル和がゼロとなるようにされる手段と、を含むことを特徴とする装置。
【請求項１４】
請求項１３に記載の装置において、該チャネル符号語を生成する手段が、さらに
該制御パラメータに基づいて該それぞれの符号語を並び替える手段を含む装置。
【請求項１５】
請求項１３に記載の装置において該チャンネル符号語を生成する手段が、さらに
該制御パラメータに基づいて特定のそれぞれの符号語中の符号語シンボルを反転させる手段を含む装置。